(57)【要約】【課題】  モードを切り替えずに、ためし切りと通常の切断とを実行することができる切断装置を提供する。【解決手段】  切断装置は、切断刃が切断する予定の複数の模様が、切断刃が切断した被切断物の切断品質を確認するためのテスト模様か否かを判断する（Ｓ２１）。切断装置は、Ｓ２１によってテスト模様であると判断した模様を、Ｓ２１によってテスト模様でないと判断した模様である通常模様より先に切断するように、切断刃が被切断物から複数の模様を切断する順番である切断順を変更する（Ｓ２３）。切断装置は、Ｓ２３によって変更された切断順に従って、切断刃と被切断物と相対的に移動させる。【選択図】図７
2016032847.tif 000002
【特許請求の範囲】
【請求項１】
切断刃と被切断物とを相対的に移動可能に構成される移動部と、
前記移動部の駆動を制御して前記切断刃が切断する複数の模様が、前記切断刃が切断した前記被切断物の切断品質を確認するためのテスト模様か否かを判断する判断手段と、
前記判断手段が前記テスト模様であると判断した模様を、前記判断手段が前記テスト模様でないと判断した模様である通常模様より先に切断するように、前記切断刃が前記被切断物から前記複数の模様を切断する順番である切断順を変更する変更手段と、
前記変更手段が変更した前記切断順に従って、前記移動部の駆動を制御する制御手段と、
を備えることを特徴とする切断装置。
【請求項２】
前記制御手段は、
前記切断刃が前記テスト模様を切断するように、前記移動部の駆動を制御する第１制御手段と、
前記第１制御手段により前記切断刃が前記テスト模様を切断した後に、切断を続行するか否かの選択を受け付ける第１受付手段と、
前記第１受付手段が切断を続行する選択を受け付けた事に応じて、前記切断刃が前記通常模様を切断するように、前記移動部の駆動を制御する第２制御手段と、
を有することを特徴とする請求項１に記載の切断装置。
【請求項３】
前記移動部は、
前記切断刃を第１方向に移動可能に構成されるキャリッジと、
前記被切断物を前記第１方向と交差する前記第２方向に移動可能に構成されるローラと、
を有することを特徴とする請求項２に記載の切断装置。
【請求項４】
前記第１制御手段は、
前記切断刃が前記テスト模様を切断した後に、前記ローラを前記被切断物が前記第２方向の一端に移動するよう制御し、前記キャリッジが前記第１方向の一端に移動するよう制御することを特徴とする請求項３に記載の切断装置。
【請求項５】
前記テスト模様は、前記通常模様より小さい模様であることを特徴とする請求項１乃至４の何れかに記載の切断装置。
【請求項６】
前記切断刃が前記通常模様より先に前記テスト模様を切断する旨を表示する表示部を備えることを特徴とする請求項１乃至５のいずれかに記載の切断装置。
【請求項７】
切断刃と被切断物とを相対的に移動可能に構成される移動部と、
テスト模様と通常模様とを含む複数の模様を取得する取得手段と、
前記取得手段が前記テスト模様より前に前記通常模様を取得した場合、前記切断刃が、前記テスト模様を前記通常模様より先に切断するように、前記移動部の駆動を制御する制御手段と、
を備えることを特徴とする切断装置。
【請求項８】
切断刃と被切断物とを相対的に移動させて前記切断刃が切断する複数の模様が、前記切断刃が切断した前記被切断物の切断品質を確認するためのテスト模様か否かを判断する判断ステップと、
前記切断刃が、前記判断ステップが前記テスト模様であると判断した模様を、前記判断ステップが前記テスト模様でないと判断した模様より先に切断するように、前記切断刃が前記複数の模様を切断するための切断データを作成する作成ステップと、
をコンピュータに実行させることを特徴とする切断データ作成プログラム。
【発明の詳細な説明】
【技術分野】
【０００１】
本開示は、切断装置、及び切断データ作成プログラムに関する。
【背景技術】
【０００２】
従来から、被切断物を切断するカッタプロッタにおいて、被切断物に対して、刃の押圧力、又は刃の移動速度等の切断条件が、正しく設定されているか否かをユーザが評価するために、ためし切りモードを有するカッタプロッタが知られている。
【０００３】
特許文献１に、ためし切りモードを有するカッタプロッタが開示されている。ユーザが、ためし切りモードを選択した後に、適当と思う切断条件をカッタプロッタに入力する。カッタプロッタは、ユーザが入力した切断条件でためし切りを実行する。ユーザは、それぞれのためし切りの切断品質を評価する。カッタプロッタがためし切りの切断条件を実行することにより、ユーザは、適正な切断条件を容易に見いだすことができる。
【先行技術文献】
【特許文献】
【０００４】
【特許文献１】特開平５―１５４７９０号公報
【発明の概要】
【発明が解決しようとする課題】
【０００５】
特許文献１に記載のカッタプロッタは、ためし切りと通常の切断を続けて実行する際に、ユーザは最初にためし切りモードを選択する。そして、カッタプロッタが、被切断物を切断した後、モードを切り替えて、通常の切断を実行する必要があり、ユーザにとって煩わしかった。
【０００６】
本開示は、上記の問題点に鑑みてなされたものであり、モードを切り替えずに、ためし切りと通常の切断とを実行することができる切断装置を提供することを目的とする。
【課題を解決するための手段】
【０００７】
本開示の切断装置は、切断刃と被切断物とを相対的に移動可能に構成される移動部と、前記移動部の駆動を制御して前記切断刃が切断する複数の模様が、前記切断刃が切断した前記被切断物の切断品質を確認するためのテスト模様か否かを判断する判断手段と、前記判断手段が前記テスト模様であると判断した模様を、前記判断手段が前記テスト模様でないと判断した模様である通常模様より先に切断するように、前記切断刃が前記被切断物から前記複数の模様を切断する順番である切断順を変更する変更手段と、前記変更手段が変更した前記切断順に従って、前記移動部の駆動を制御する制御手段と、を備えることを特徴とする。
【発明の効果】
【０００８】
本開示の切断装置は、モードを切り替えずに、被切断物からテスト模様と通常模様とを切断することができる。また、切断装置は、テスト模様を通常模様より先に切断するように、切断順を変更するため、切断刃が通常模様を切断する前に、ユーザは、切断装置の切断条件が適正な切断条件か否かを確認することができる。
【図面の簡単な説明】
【０００９】
【図１】切断装置１の内部構造を筐体２と共に示す斜視図。
【図２】切断装置１の内部構造を示す平面図。
【図３】切断ヘッド５近傍を示す正面図。
【図４】カートリッジ４を示す正面図。
【図５】切断装置１の電気的構成を概略的に示すブロック図。
【図６】切断データ作成処理４００を示すフローチャート。
【図７】切断順変更処理Ｓ９を示すフローチャート。
【図８】模様選択画面２００。
【図９】プレビュー画面２１０。
【図１０】模様データ６００を示す図。
【図１１】選択順データ６５０を示す図。
【図１２】切断データ７００を示す図。
【図１３】切断条件指定処理４５０を示すフローチャート。
【図１４】切断条件指定画面２８０。
【図１５】切断制御処理５００を示すフローチャート。
【図１６】一時停止画面３００。
【発明を実施するための形態】
【００１０】
［切断装置１の構成］
図１を参照して、本実施形態である切断装置１の構成について説明する。
【００１１】
［切断装置１の構成］
図１を参照し、切断装置１の構成について説明する。切断装置１は、被切断物１０１を切断する装置である。切断装置１は、筐体２と、プラテン３と、機枠１１と、切断ヘッド５と、移送機構７と、移動機構８と、ディスプレイ９ａと、スイッチ９ｂと、を備える。
【００１２】
移送機構７は、プラテン３上にセットされた保持シート１０を所定の移送方向に移送する。移動機構８は、切断ヘッド５を、保持シート１０の移送方向と交差する方向（例えば移送方向と直交する方向）に移動させる。移送機構７の移送方向を、前後方向（Ｙ方向）とする。移動機構８の移動方向を、左右方向（Ｘ方向）とする。前後方向と左右方向とに直交する方向を、上下方向（Ｚ方向）とする。移送機構７及び移動機構８は、被切断物１０１を保持した保持シート１０と切断ヘッド５とをＸ方向及びＹ方向に相対移動させる移動部２０として構成される。
【００１３】
筐体２は、左右方向に長い矩形箱状である。筐体２の正面部には、前面開口部２ａが形成される。筐体２の正面部には、前面開口部２ａを開閉する前カバー２ｂが設けられる。前面開口部２ａが開放された状態で、ユーザは、被切断物１０１を保持した保持シート１０をプラテン３上にセットする。さらに、ユーザは、カートリッジ４を後述する切断ヘッド５のカートリッジホルダ３２に対して着脱することができる。
【００１４】
機枠１１は、筐体２に取り付けられる。機枠１１は、側壁１１ａ、１１ｂを備える。側壁１１ａ、１１ｂは、プラテン３の左右両側に夫々位置する。
【００１５】
ディスプレイ９ａは、筐体２の上面の右側部位に設けられる。ディスプレイ９ａは、フルカラー表示が可能な液晶カラーディスプレイである。ディスプレイ９aの周囲には、ユーザにより操作されるスイッチ９ｂが設けられる。ディスプレイ９ａの表面には、タッチパネル９ｃが設けられる。ディスプレイ９ａは、種々の模様、ユーザに対して必要なメッセージ等、模様の切断に関する情報を表示する。ユーザは、スイッチ９ｂ及びタッチパネル９ｃを操作することにより、ディスプレイ９ａに表示された模様の選択、各種処理モードの選択、各種パラメータの設定、及び入力の操作を行うことができる。
【００１６】
プラテン３は、切断装置１が被切断物１０１を切断する際、保持シート１０の下面にある。プラテン３の上面部は、水平面状を有す。被切断物１０１を保持した保持シート１０は、プラテン３上を移送される。
【００１７】
保持シート１０は、例えば、合成樹脂材料からなり、矩形シート状をなす。保持シート１０は、被切断物１０１を保持する。保持シート１０の上面には、周縁部１０ａ〜１０ｄを除いた内側の領域に粘着剤が塗布された粘着層１０ｖが形成される。保持シート１０は、粘着層１０ｖに被切断物１０１が貼り付けられることで被切断物１０１を保持する。粘着層１０ｖの粘着力は、カートリッジ４の切断刃６による切断加工の際に被切断物１０１を移動不能に確実に保持し、且つ、切断加工後の被切断物１０１を比較的容易に剥がせるように設定される。被切断物１０１の大きさは、粘着層１０ｖが形成された領域と同じ大きさである。また、切断装置１が切断可能な領域は、当該被切断物１０１と同じ大きさである。また、被切断物１０１は、例えば、紙又は布である。
【００１８】
［移送機構７の説明］
図１を参照して、移送機構７の詳細について説明する。移送機構７は、駆動ローラ１２と、ピンチローラ１３と、取付フレーム１４と、Ｙ軸モータ１５と、駆動ギア１６と、従動ギア１７と、を備える。
【００１９】
駆動ローラ１２、及びピンチローラ１３は、左右方向の側壁１１ａ、１１ｂの間に配置される。駆動ローラ１２、及びピンチローラ１３は、左右方向に延びる。駆動ローラ１２とピンチローラ１３は、上下方向に並ぶように配設される。駆動ローラ１２は下側に位置し、ピンチローラ１３は、上側に位置する。
【００２０】
側壁１１ａ、１１ｂは、駆動ローラ１２の左右方向の両端側を回転可能に支持する。従動ギア１７は、駆動ローラ１２の右端に固着される。取付フレーム１４は、右側の側壁１１ｂの外面側に取付けられる。Ｙ軸モータ１５は、取付フレーム１４に取付けられる。Ｙ軸モータ１５は、例えばステッピングモータからなる。従動ギア１７は、駆動ギア１６に噛合う。駆動ギア１６の径は、従動ギア１７の径より小さい。駆動ギア１６は、Ｙ軸モータ１５の出力軸に固定される。Ｙ軸モータ１５が回転することにより、回転駆動力が、駆動ギア１６、従動ギア１７を介して駆動ローラ１２に伝わり、駆動ローラ１２を回転させる。
【００２１】
側壁１１ａ、１１ｂは、ピンチローラ１３の左右の両端部を回転可能に支持する。側壁１１ａ、１１ｂは、ピンチローラ１３を、上下方向、即ち被切断物１０１の厚み方向に若干量の変位が可能に支持する。ピンチローラ１３は、ローラ部１３ａを備える。ローラ部１３ａは、ピンチローラ１３の軸部の両側に配置される。ローラ部１３ａの軸部の径は、ピンチローラ１３の軸部の径より大きい。
【００２２】
保持シート１０の左右の周縁部１０ａ、１０ｂは、駆動ローラ１２とローラ部１３ａとの間において夫々挟持される。移送機構７は、保持シート１０の周縁部１０ａ、１０ｂを駆動ローラ１２とローラ部１３ａとの間に挟んだ状態で、Ｙ軸モータ１５が駆動され駆動ローラ１２が回転することにより、前後方向に保持シート１０を移送する。
【００２３】
［移動機構８の説明］
図２を参照して、移動機構８の詳細について説明する。移動機構８は、切断ヘッド５を、保持シート１０の移送方向と交差する左右方向へ移動させる。移動機構８は、キャリッジ１９と、ガイド軸２１、２２と、取付板２４と、Ｘ軸モータ２５と、プーリ軸２６と、駆動ギア２７と、左タイミングプーリ２８と、従動ギア２９と、右タイミングプーリ３０と、タイミングベルト３１と、を備える。
【００２４】
ガイド軸２１、２２は、左右方向の側壁１１ａと側壁１１ｂとの間に配置される。ガイド軸２１、２２は、ピンチローラ１３より後部に配置される。ガイド軸２１、２２は、左右方向に延びる。ガイド軸２１の上面部とガイド軸２２の下面部には、左端から右端に渡ってそれぞれガイド溝２１ａが設けられる。キャリッジ１９の上下両側部には、各ガイド溝２１ａを上下方向から挟むように係合する一対の突状部が設けられる。キャリッジ１９は、突状部と各ガイド溝２１ａとの係合により、ガイド軸２１、２２に対して左右方向への摺動が可能に支持される。
【００２５】
取付板２４は、左側の側壁１１ａの外面側に取り付けられる。取付フレーム１４は、右側の側壁１１ｂの外面側に取付けられる。プーリ軸２６は、Ｘ軸モータ２５の前側に回転可能に設けられる。プーリ軸２６は、上下方向に延びる。駆動ギア２７は、Ｘ軸モータ２５の出力軸に固定される。プーリ軸２６は、左タイミングプーリ２８と従動ギア２９とを回転可能に支持する。左タイミングプーリ２８と従動ギア２９とは、一体的に形成されており、一体的に回転する。従動ギア２９は、駆動ギア２７に噛み合う。
【００２６】
右タイミングプーリ３０は、取付フレーム１４に回転可能に取り付けられる。無端状のタイミングベルト３１は、右タイミングプーリ３０と左タイミングプーリ２８との間において、左右方向に延びて水平に掛渡される。タイミングベルト３１の途中は、キャリッジ１９の背面部に連結される。
【００２７】
Ｘ軸モータ２５が回転することにより、回転駆動力が、駆動ギア２７、従動ギア２９、及び左タイミングプーリ２８を介してタイミングベルト３１に伝わり、キャリッジ１９を左右方向に移動させる。また、切断ヘッド５は、詳しくは後述するが、キャリッジ１９に設けられる。従って、キャリッジ１９の左右方向の移動により、切断ヘッド５も左右方向に移動する。
【００２８】
［切断ヘッド５の説明］
図２、及び図３を参照して、切断ヘッド５について説明する。切断ヘッド５は、キャリッジ１９に対してカートリッジホルダ３２と、上下駆動機構３３と、を前後に配置する。上下駆動機構３３は、カートリッジホルダ３２をカートリッジ４ごと上下方向（Ｚ方向）に駆動させる。
【００２９】
キャリッジ１９は、前後の壁部１９ａ，１９ｂと、壁部１９ａ、１９ｂを繋ぐ上下のアーム１９ｃ、１９ｄと、を備える。キャリッジ１９は、ガイド軸２１，２２の前後両側と上下両側とを囲う形状である。キャリッジ１９の後壁部１９ｂには、Ｚ軸モータ３４が前向きに取付けられる。Ｚ軸モータ３４とカートリッジホルダ３２との間に、伝達機構が設けられる。伝達機構は、Ｚ軸モータ３４の回転運動を減速し且つカートリッジホルダ３２の上下方向の移動に変換して伝達する。伝達機構及びＺ軸モータ３４は、上下駆動機構３３を構成する。
【００３０】
Ｚ軸モータ３４が正転駆動、或いは逆転駆動すると、その回転運動が伝達機構を介して上下方向の運動に変換されて、カートリッジホルダ３２をカートリッジ４ごと上昇位置或いは下降位置へ昇降させる。これにより、カートリッジホルダ３２におけるカートリッジ４は、切断刃６により被切断物１０１を切断するときの下降位置と、切断刃６の刃先６ａが被切断物１０１から所定距離、離間する上昇位置（図３の２点鎖線）との間で移動する。
【００３１】
カートリッジホルダ３２にカートリッジ４が装着される場合、下降位置において被切断物１０１に刃先６ａが刺さる。切断のための刃先６ａの圧力（以下カッタ圧と称す）は、後述する制御回路６１によって、Ｚ軸モータ３４の回転量に基づき切断に適した圧力に設定される。
【００３２】
カートリッジホルダ３２は、ホルダフレーム３５と、上ホルダ３６及び下ホルダ３７と、を備える。ホルダフレーム３５は、上下駆動機構３３により上下に駆動される。上ホルダ３６及び下ホルダ３７は、ホルダフレーム３５に固定される。具体的には、キャリッジ１９の前壁部１９ａには、キャリッジ１９の左右両側を前方から覆うカバー部材３８が設けられる。カバー部材３８における右側の張出部３８ａと左側の張出部３８ｂとの間には、可動部としてホルダフレーム３５が配置される。ホルダフレーム３５は、上下両面及び前面が開放された形状をなす。上ホルダ３６及び下ホルダ３７は、何れもカートリッジ４が上方から挿通されるようにしてホルダフレーム３５に装着されるものであり、ホルダフレーム３５に収まる枠状をなす。
【００３３】
上ホルダ３６と下ホルダ３７との間には、レバー部材４０が設けられる。レバー部材４０は、左右一対のアーム部４１，４２と、アーム部４１，４２の先端側を繋ぐように設けられた操作部４３とを有する。レバー部材４０は、アーム部４１，４２の上端側を基端部として、ホルダフレーム３５に対し揺動可能に支持される。アーム部４１，４２の内面側には、後述するカートリッジ４の被係合部５４ａと係合可能な小円柱状の係合部４１ａ，４２ａが設けられる。
【００３４】
レバー部材４０は、アーム部４１，４２の基端部を揺動中心として、図３に示す固定位置と、操作部４３を手前側に引くようにして揺動させた開放位置との間で切換え可能に揺動する。レバー部材４０の固定位置において、係合部４１ａ，４２ａとカートリッジ４の被係合部５４ａとの係合により、カートリッジ４は、下ホルダ３７に対して固定される。他方、レバー部材４０は、ユーザが操作部４３を手前側に引いて、固定位置から開放位置側へ揺動させることに伴い、係合部４１ａ，４２ａが被係合部５４ａから離間してその固定状態を開放する。こうして、ユーザは、カートリッジ４の着脱を、レバー部材４０により簡単且つ確実に行うことができる。
【００３５】
［カートリッジ４の説明］
切断装置１においては、被切断物の種類に応じた切断刃６を有するカートリッジ４が複数用意されており、ユーザは、切断刃６をカートリッジ４ごと交換することができる。図４を参照しながら、カートリッジ４について説明する。
【００３６】
カートリッジ４の外郭ケース５０は、ケース本体５１と、ケース本体５１の一端部及び他端部に設けられたキャップ部５２及び摘み部５３とを備える。ケース本体５１は、上下方向に延びる円筒状をなす。キャップ部５２は、ケース本体５１の下端部に嵌め込まれる径大部５４及び径小部５５を有する。キャップ部５２は、段付きの有底円筒容器状をなす。被係合部５４ａは、径大部５４の上端にある。被係合部５４ａは、レバー部材４０の係合部４１ａ、４２ａと当接する。径大部５４の下端がカートリッジホルダ３２の下ホルダ３７と嵌合する。キャップ部５２の下面部５０ａは平坦に形成されており、切断刃６の刃先６ａを挿通させる孔を有する。
【００３７】
摘み部５３は、ケース本体５１の上端部に固定される蓋板５６と、蓋板５６の上側に設けられた摘み板５７及び後面板５８とを一体に有する。摘み板５７は、蓋板５６の左右方向の中央部に縦向きに設けられる。
【００３８】
カートリッジ４は、外郭ケース５０にカッタ軸４７が収容される切断刃６を備える。切断刃６は、基部として丸棒状をなすカッタ軸４７と、先端部の刃先６ａとを一体に有する。切断刃６の刃部は、被切断物１０１に対して傾斜した略Ｖ字形状をなす。また、ケース本体５１の内部には、カッタ軸４７をその中心軸線５０ｃの回りに回動可能に支持する軸受が設けられる。刃先６ａは、キャップ部５２の下面部５０ａから突出している。
【００３９】
被切断物１０１の切断に際し、制御回路６１は、カートリッジホルダ３２に装着されたカートリッジ４を、上下駆動機構３３により下降位置に移動させ、カッタ圧を設定する。下降位置にある場合、刃先６ａが保持シート１０上の被切断物１０１を貫通して、保持シート１０に僅かに刺さる。下降位置にて、移送機構７及びヘッド移動機構８により、保持シート１０と切断刃６とをＸ方向及びＹ方向に相対移動させることで、被切断物１０１を切断する。切断装置１は、例えば、図１に示す保持シート１０における粘着層１０ｖの左角部を原点ＯとしたＸＹ座標系が設定される。ＸＹ座標系に基づいて、被切断物１０１と切断刃６とは、相対的に移動する。
【００４０】
［切断装置１の電気的構成］
図５を参照しながら、切断装置１の制御系の構成について説明する。制御回路６１は、切断装置１全体の制御を司る。制御回路６１は、コンピュータ（ＣＰＵ）を主体に構成される。制御回路６１は、ＲＯＭ６２、ＲＡＭ６３、ＥＥＰＲＯＭ６４、及び外部メモリ６５が電気的に接続される。ＲＯＭ６２には、切断データ７００を作成するための切断データ作成プログラム４００、切断条件を指定するための切断条件指定プログラム、切断動作を制御するための切断制御プログラム５００、ディスプレイ９ａの表示を制御する表示制御プログラム等を含む。ＲＯＭ６２、ＲＡＭ６３、及び外部メモリ６５は、複数種類の模様を切断するための切断データ７００が記憶された記憶部として構成される。ＲＡＭ６３は、模様データ６００と、選択順データ６００と、切断データ７００と、切断条件データ７００と、を含む。
【００４１】
制御回路６１には、スイッチ９ｂ等からの信号が入力される。制御回路６１には、ディスプレイ９ａ及びタッチパネル９ｃが電気的に接続される。ユーザは、ディスプレイ９ａの表示を見ながら、スイッチ９ｂ或いはタッチパネル９ｃを操作することにより、所望する模様を選択したり、各種処理モード、パラメータを設定したりすることができる。更に、制御回路６１には、Ｙ軸モータ１５、Ｘ軸モータ２５、Ｚ軸モータ３４を夫々駆動する駆動回路６７，６８，６９が電気的に接続される。制御回路６１は、切断データ７００に基づいて、Ｙ軸モータ１５、Ｘ軸モータ２５、Ｚ軸モータ３４等を制御し、保持シート１０上の被切断物１０１に対する切断動作を自動で実行させる。
【００４２】
［切断データ作成プログラム４００］
図６〜図１２を参照して、切断データ作成プログラム４００について説明する。切断データ作成プログラム４００は、切断装置１の制御回路６１によって実行される。例えば、ユーザがタッチパネル９ｃの模様選択画面２００に移行するキーに触れた場合、制御回路６１は、ＲＯＭ６２から切断データ作成プログラム４００を読み出し、実行する。切断データ作成プログラム４００が実行されると、制御回路６１は、ディスプレイ９ａに模様選択画面２００を表示させる。フローチャートに示す各ステップは、制御回路６１の処理を示す。
【００４３】
Ｓ１では、制御回路６１は、ユーザからの模様の選択を受け付ける。ユーザが、図８に示す模様選択画面２００の所望の模様２０１に対応するタッチパネル９ｃの位置にタッチペン又は指で押すことにより、制御回路６１は、所望の模様の模様データ６００をＲＡＭ６３に記憶させる。また、制御回路６１は、ユーザが選択した模様データ６００に基づいて、ユーザが選択した模様の保持シート１０上の中心座標を算出する。具体的には、制御回路６１は、模様データ６００の座標データのＸ方向、Ｙ方向の範囲に基づいて、ユーザが選択した順に左上端から右側に並んで配置されるように、ユーザが選択した模様の保持シート１０上の中心座標を算出する。そして、制御回路６１は、ユーザが選択した模様の模様番号と、選択順と、中心座標と、を対応付けて、選択順データ６５０としてＲＡＭ６３に記憶させる。また、ユーザは、模様選択画面２００のテストキー２０２を押すことにより、図示しないテスト模様選択画面がディスプレイ９ａに表示され、テスト模様を選択することができる。制御回路６１は、選択されたテスト模様に対応する模様データ６００をＲＡＭ６３に記憶させる。ユーザがテスト模様を選択した場合も同様に、制御回路６１は、ユーザが選択したテスト模様の模様番号と、選択順と、中心座標と、を対応付けて、選択順データ６５０としてＲＡＭ６３に記憶させる。
【００４４】
図１０を参照して、模様データ６００の一例について説明する。模様データ６００は、模様番号と、座標データと、テスト模様フラグαと、を含む。模様番号は、模様毎に異なり、各模様に対応する番号である。模様２２０の模様番号は、Ｐ００１である。模様２３０の模様番号は、Ｐ００２である。模様２４０の模様番号は、Ｔ００２である。模様２５０の模様番号は、Ｔ００４である。模様２３０、２４０は、テスト模様である。模様２２０、２５０は、通常模様である。通常模様とは、テスト模様ではない模様である。通常模様は、様々な形状の図形からなる模様である。テスト模様は、詳しくは後述するが、被切断物１０１が確実に切断されたか否かを確認する為の模様である。座標データは、Ｘ、Ｙ座標で表される。具体的には、座標データは、その模様の中心を原点とした模様の形状を示す座標である。テスト模様である模様データ（模様番号Ｔ００２、Ｔ００４）のテスト模様フラグαは１であり、通常模様である模様データ（模様番号Ｐ００１、Ｐ００２）のテスト模様フラグαは０である。テスト模様２３０は、三角形である。テスト模様２４０は、円形である。通常模様２２０は、切り欠かれた円形である。通常模様２５０は、平行四辺形である。
【００４５】
図１１を参照して、選択順データ６５０について説明する。選択順データ６５０は、ユーザが選択した模様の選択順ｉと、ユーザが選択した模様に対応する模様番号と、ユーザが選択した模様の保持シート１０上の中心座標と、が対応付けられる。本実施例において、ユーザは、通常模様２２０、テスト模様２３０、テスト模様２４０、通常模様２５０の順番に各模様を選択する。１番目に選択した模様番号は、Ｐ００１である。２番目に選択した模様番号は、Ｔ００２である。３番目に選択した模様番号は、Ｔ００４である。４番目に選択した模様番号は、Ｐ００２である。模様データ６００の原点と、中心座標と、が一致するように、模様が保持シート１０上に配置される。
【００４６】
Ｓ３では、制御回路６１は、模様選択画面２００の図示しないＯＫキーが押されたか否かを判断する。制御回路６１は、ＯＫキーが押されたと判断した事に応じて（Ｓ３：ＹＥＳ）、Ｓ５へ処理を進める。制御回路６１は、ＯＫキーが押されていないと判断した事に応じて（Ｓ３：ＮＯ）、Ｓ１へ処理を戻す。制御回路６１は、ＯＫキーが押されることにより、切断する模様を決定することができる。
【００４７】
Ｓ５では、制御回路６１は、プレビュー画面２１０をディスプレイ９ａに表示させる。具体的には、制御回路６１は、プレビュー画面２１０を表示するための制御信号をディスプレイ９ａに出力する。制御回路６１からの制御信号に従って、ディスプレイ９ａは、プレビュー画面２１０を表示する。図９のプレビュー画面２１０に示す様に、ユーザが選択した複数の模様が、ユーザが選択した順に、プレビュー画面２１０上の表示領域２６０の左上端から右に向かって並べて配置される。表示領域２６０は、切断装置１が、被切断物１０１を切断可能な領域を示す。ディスプレイ９ａがプレビュー画面２１０を表示することにより、ユーザは、切断予定の複数の模様の保持シート１０上の配置を、切断する前に確認することができる。複数の模様は、具体的には、通常模様２２０、テスト模様２３０、テスト模様２４０、通常模様２５０の順に、並べて配置される。
【００４８】
テスト模様の詳細について説明する。テスト模様は、切断刃６が切断した被切断物１０１の切断品質を確認するための模様である。具体的には、切断装置１は他の形状に比べて、角、特に鋭角状に切断することが最も難しい。従って、テスト模様の種類として、ユーザが、模様の角が適切に切断されているかを確認するために、角を有する形状を含むことが望ましい。テスト模様は、ユーザが切断品質を確認しやすいよう、簡易な形状であることが望ましい。また、被切断物１０１を切断したテスト模様は、使用しないで捨ててしまう。この為、図９に示す様に、テスト模様の大きさは、被切断物１０１が余分に消費される事を出来るだけ抑えるよう、通常模様より小さい。
【００４９】
Ｓ７では、制御回路６１は、プレビュー画面２１０のカットキー２０５が押されたか否かを判断する。制御回路６１は、カットキー２０５が押されたと判断した事に応じて（Ｓ７：ＹＥＳ）、Ｓ９へ処理を進める。制御回路６１は、カットキー２０５が押されていないと判断した事に応じて（Ｓ７：ＮＯ）、Ｓ５へ処理を戻す。
【００５０】
Ｓ９では、制御回路６１は、切断順変更処理を実行する。制御回路６１は、Ｓ９終了後、切断データ作成プログラム４００を終了する。
【００５１】
［切断順変更処理Ｓ９］
図７を参照して、切断順変更処理Ｓ９について詳細に説明する。制御回路６１は、Ｓ９の処理を開始すると、図７に示すＳ１５へ処理を進める。
【００５２】
Ｓ１５では、制御回路６１は、ＲＡＭ６３から選択順データ６５０を読み込む。
【００５３】
Ｓ１７では、制御回路６１は、１番目に選択された模様を取得する。具体的には、制御回路６１は、ｉに１を代入する。制御回路６１は、選択順データ６５０から、１（＝ｉ）番目に選択された模様番号を特定する。制御回路６１は、模様データ６００の中から、１番目に選択された模様番号に対応する模様データを取得する。本実施例では、制御回路６１は、模様データ６００の中から、１番目に選択された模様番号Ｐ００１に対応する模様データをＲＡＭ６３から取得する。
【００５４】
Ｓ１９では、制御回路６１は、処理していない模様番号が選択順データ６５０の中が存在するか否かを判断する。具体的には、制御回路６１は、選択順データ６５０の中で、ｉ番目に模様番号が存在するか否かを判断する。制御回路６１は、選択順データ６５０の中で、ｉ番目に模様番号が存在すると判断した事に応じて（Ｓ１９：ＹＥＳ）、Ｓ２１へ処理を進める。制御回路６１は、選択順データ６５０の中で、ｉ番目に模様番号が存在しないと判断した事に応じて（Ｓ１９：ＮＯ）、Ｓ２７へ処理を進める。Ｓ１９により、制御回路６１は、選択された模様を漏れなく処理することができる。
【００５５】
Ｓ２１では、制御回路６１は、ｉ番目に選択された模様が、テスト模様か否かを判断する。具体的には、制御回路６１は、ｉ番目に選択された模様データ６００のテスト模様フラグαが１か否かを判断する。制御回路６１は、ｉ番目に選択された模様データ６００のテスト模様フラグαが１であると判断した事に応じて（Ｓ２１：ＹＥＳ）、Ｓ２３へ処理を進める。制御回路６１は、ｉ番目に選択された模様データ６００のテスト模様フラグαが１ではないと判断した事に応じて（Ｓ２１：ＮＯ）、Ｓ２５へ処理を進める。
【００５６】
Ｓ２３では、制御回路６１は、Ｓ２１によりテスト模様であると判断された模様を切断データ７００に登録する。具体的には、制御回路６１は、Ｓ２１でテスト模様であると判断した模様を、Ｓ２１でテスト模様でないと判断した模様である通常模様より先に切断するように、切断刃６が被切断物１０１から複数の模様を切断する順番である切断順を変更した切断データ７００を作成する。制御回路６１は、作成した切断データ７００をＲＡＭ６３に記憶させる。詳細には、制御回路６１は、テスト模様であると判断された模様データ６００の座標データを、選択順データ６５０の中心座標に基づいて、保持シート１０の左角部を原点Ｏとした座標データに変換する。詳細には、制御回路６１は、テスト模様であると判断された模様データ６００の座標データの原点と、選択順データ６５０の中心座標と、が一致するように、模様データ６００の座標データを保持シート１０上の座標データに変換する。制御回路６１は、切断データ７００としてＲＡＭ６３に記憶させる。
【００５７】
Ｓ２５では、制御回路６１は、次に選択された模様に処理を移す。具体的には、制御回路６１は、ｉに１を加算する。そして、制御回路６１は、選択順データ６５０から、ｉ番目に選択された模様番号を特定する。制御回路６１は、模様データ６００の中から、ｉ番目に選択された模様番号に対応する模様データを取得する。制御回路６１は、Ｓ２５処理後、Ｓ１９へ処理を戻す。
【００５８】
Ｓ２７では、制御回路６１は、切断停止データを切断データ７００に登録する。切断停止データは、切断を一時停止させるためのデータである。
【００５９】
Ｓ２９では、制御回路６１は、Ｓ１７と同様、１番目に選択された模様を取得する。
【００６０】
Ｓ３１では、制御回路６１は、Ｓ１９と同様、処理していない模様番号が選択順データ６５０の中に存在するか否かを判断する。
【００６１】
Ｓ３３では、制御回路６１は、ｉ番目に選択された模様が、通常模様か否かを判断する。具体的には、制御回路６１は、ｉ番目に選択された模様データ６００のテスト模様フラグαが０か否かを判断する。制御回路６１は、ｉ番目に選択された模様データのテスト模様フラグαが０であると判断した事に応じて（Ｓ３３：ＹＥＳ）、Ｓ３５へ処理を進める。制御回路６１は、ｉ番目に選択された模様データのテスト模様フラグαが０ではないと判断した事に応じて（Ｓ３３：ＮＯ）、Ｓ３７へ処理を進める。
【００６２】
Ｓ３５では、制御回路６１は、Ｓ３３によりテスト模様ではないと判断された通常模様を切断データ７００に登録する。具体的には、制御回路６１は、Ｓ２１でテスト模様であると判断した模様より、Ｓ２１で通常模様が後に切断するように、切断順を変更した切断データ７００を作成する。制御回路６１は、作成した切断データ７００をＲＡＭ６３に記憶させる。詳細には、制御回路６１は、通常模様であると判断された模様データ６００の座標データを、選択順データ６５０の中心座標に基づいて、保持シート１０の左角部を原点Ｏとした座標データに変換する。詳細には、制御回路６１は、通常模様であると判断された模様データ６００の座標データの原点と、選択順データ６５０の中心座標と、が一致するように、模様データ６００の座標データを保持シート１０上の座標データに変換する。制御回路６１は、切断データ７００としてＲＡＭ６３に記憶させる。
【００６３】
Ｓ３７では、制御回路６１は、Ｓ２５と同様、次に選択された模様に処理を移す。制御回路６１は、Ｓ３７処理後、Ｓ３１へ処理を戻す。
【００６４】
Ｓ３９では、制御回路６１は、切断停止データを切断データ７００に登録する。制御回路６１は、Ｓ３９終了後、切断順変更処理Ｓ９を終了し、切断データ作成プログラム４００を終了する。
【００６５】
図１２を参照して、切断データ７００について詳細に説明する。切断データ７００は、切断刃６が被切断物１０１から複数の模様を切断するためのデータである。切断データ７００は、座標データ、及び切断終了データを含む。座標データ、及び切断終了データの各々は、処理順ｊに対応付けられる。処理順ｊは、切断データ７００の各データの処理を行う順序を示す変数である。座標データは、移動機構８及び移送機構７によって、被切断物１０１及び切断刃６をＸ方向及びＹ方向に移動させる為の座標データである。
【００６６】
［切断条件指定プログラム４５０］
図１３及び図１４を参照して、切断条件指定処理４５０について説明する。切断条件指定処理４５０は、切断装置１の制御回路６１によって実行される。例えば、ユーザがタッチパネル９ｃの切断条件指定画面２８０に移行するキーを押した場合、制御回路６１は、ＲＯＭ６２から切断条件指定プログラム４５０を読み出し、実行する。
【００６７】
Ｓ４１では、制御回路６１は、切断条件指定画面２８０をディスプレイ９ａに表示させる。具体的には、制御回路６１は、切断条件指定画面を表示するための制御信号をディスプレイ９ａに出力する。制御回路６１からの制御信号に従って、ディスプレイ９ａは、切断条件指定画面を表示する。さらに詳細には、制御回路６１は、ＲＯＭ６２から切断条件指定画面を示す画像情報を読み出し、ディスプレイ９ａに画像信号を送信する。切断条件指定画面２８０は、切断条件を指定するための画面である。切断条件とは、例えば、切断刃６の移動速度、及びカッタ圧等である。
【００６８】
Ｓ４３では、制御回路６１は、ユーザからの切断条件の指定を受け付ける。ユーザは、移動速度を、＋−キー２８１に触れることによって、１〜５の５段階で指定可能である。ユーザは、カッタ圧を、＋−キー２８３に触れることによって、−９〜＋９の１９段階で指定可能である。これにより、ユーザは、切断条件を詳細に指定することができ、所望する切断条件を設定することができる。
【００６９】
Ｓ４５では、制御回路６１は、切断条件指定画面２８０のＯＫキー２８５が押されたか否かを判断する。制御回路６１は、ＯＫキー２８５が押されたと判断した事に応じて（Ｓ４５：ＹＥＳ）、Ｓ４７へ処理を進める。制御回路６１は、ＯＫキー２８５が押されていないと判断した事に応じて（Ｓ４５：ＮＯ）、Ｓ４３へ処理を戻す。Ｓ４５でＯＫキー２８５が押されることにより、切断条件を決定することができる。
【００７０】
Ｓ４７では、制御回路６１は、Ｓ４３にて指定された切断条件を切断条件データ７５０としてＲＡＭ６３に記憶させる。切断条件データ７５０は、移動速度、カッタ圧、及びの項目を含む。本実施例では、移動速度は３、カッタ圧は０に指定されている。切断条件データ７５０をＲＡＭ６３に記憶させた後、切断装置１の切断条件を変更する。制御回路６は、Ｓ４７終了後、切断条件指定処理４５０を終了する。
【００７１】
［切断制御プログラム５００］
図１５及び図１６を参照して、切断制御処理５００について説明する。切断制御処理５００は、切断装置１の制御回路６１によって実行される。具体的には、ユーザが、切断装置１に切断動作を開始させるため、複数のスイッチ９ｂの１種であり、スタートボタンを押す。制御回路６１は、ＲＯＭ６２から切断制御プログラム５００を読み出し、実行する。
【００７２】
Ｓ５１では、制御回路６１は、ＲＡＭ６３から、切断データ７００、及び選択順データ６５０を読み込む。
【００７３】
Ｓ５３では、制御回路６１は、切断予定の模様の中に、テスト模様があるか否かを判断する。具体的には、制御回路６１は、選択順データ６５０に格納された全ての模様番号に対応する模様データ６００を読み出す。制御回路６１は、模様データ６００の各模様のテスト模様フラグαが１か否かを判断する。制御回路６１は、全ての模様データ６００を判断した結果、模様データ６００の中で、テスト模様フラグαが１であると判断した模様データがある場合（Ｓ５３：ＹＥＳ）、Ｓ５５へ処理を進める。制御回路６１は、模様データ６００の中で、テスト模様フラグαが１であると判断した模様データがない場合（Ｓ５３：ＮＯ）、Ｓ５９へ処理を進める。
【００７４】
Ｓ５５では、制御回路６１は、テスト模様切断予告画面をディスプレイ９ａに表示させる。テスト模様切断予告画面は、切断刃６が通常模様より先にテスト模様を切断する旨を表示する画面である。具体的には、制御回路６１は、テスト模様切断予告画面を表示するための制御信号をディスプレイ９ａに出力する。制御回路６１からの制御信号に従って、ディスプレイ９ａは、テスト模様切断予告画面を表示する。さらに詳細には、制御回路６１は、ＲＯＭ６２からテスト模様切断予告画面を示す画像情報を読み出し、ディスプレイ９ａに画像信号を送信する。テスト模様切断予告画面は、テスト模様を切断することを承諾するためにユーザが押すＯＫキーを含む。
【００７５】
Ｓ５７では、制御回路６１は、テスト模様を切断するか否かの選択を受け付ける。具体的には、制御回路６１は、テスト模様切断予告画面のＯＫキーが押されたか否かを判断する。制御回路６１は、テスト模様切断予告画面のＯＫキーが押されたと判断した事に応じて（Ｓ５７：ＹＥＳ）、Ｓ５９へ処理を進める。制御回路６１は、テスト模様切断予告画面のＯＫキーが押されていないと判断した事に応じて（Ｓ５７：ＮＯ）、Ｓ５５へ処理を戻す。
【００７６】
Ｓ５９では、制御回路６１は、切断刃６がテスト模様を切断するように、移動部２０の駆動を制御する。具体的には、制御回路６１は、切断条件データ７５０として記憶された切断条件で、切断データ７００の座標データに従って、切断処理を実行する。制御回路６１は、切断データ７００の座標データを処理順ｊで順次読み出す。制御回路６１は、読み出された座標データに従って、被切断物１０１を保持した保持シート１０を、移送機構７によりＹ方向に移動させながら、移動機構８により切断刃６をＸ方向に移動させる。被切断物１０１を保持した保持シート１０を、移送機構７によりＹ方向に移動させながら、移動機構８により切断刃６をＸ方向に移動させる。詳細には、制御回路６１は、座標データに従って、駆動回路６７、６８、６９に制御信号を出力する。制御回路６１からの制御信号を受け付けて、被切断物１０１を切断するために、駆動回路６７、６８、６９は、Ｙ軸モータ１５、Ｘ軸モータ２５、及びＺ軸モータ３４を駆動する。その後、切断データ７００内の次のデータへ処理を移すために、制御回路６１は、処理順ｊに１を加算して、Ｓ６１へ処理を進める。本実施例では、切断装置１は、テスト模様２３０、２４０の順に、テスト模様２３０、２４０の輪郭線に沿って被切断物１０１を切断する。
【００７７】
Ｓ６１では、制御回路６１は、切断データ７００のｊ番目のデータが切断停止データであるか否かを判断する。制御回路６１は、ｊ番目のデータが、切断停止データであると判断したことに応じて（Ｓ６１：ＹＥＳ）、Ｓ６２へ処理を進める。制御回路６１は、ｊ番目のデータが、切断停止データではないと判断したことに応じて（Ｓ６１：ＮＯ）、Ｓ５９へ処理を戻す。
【００７８】
Ｓ６２では、制御回路６１は、切断刃６と保持シート１０を初期位置へ移動させる。具体的には、制御回路６１は、切断刃６が模様以外に被切断物１０１を切断しないようにするために、刃先６ａが被切断物１０１から離れて、カートリッジ４が上昇位置まで移動するように変更する。そして、制御回路６１は、駆動ローラ１２が、被切断物１０１の後端である保持シート１０の周縁部１０ｃの下に移動するよう制御する。ピンチローラ１３は、被切断物１０１を挟んで駆動ローラ１２上に対向して配置される。従って、駆動ローラ１２が、保持シート１０を保持シート１０の周縁部１０ｃの下に移動させた場合、ピンチローラ１３は、保持シート１０の周縁部１０ｃの上にある。また、制御回路６１は、図１及び図２に示す位置にキャリッジ１９が移動するよう制御する。詳細には、制御回路６１は、キャリッジ１９が被切断物１０１の左端である保持シート１０の周縁部１０ａの上に移動するよう制御する。
【００７９】
Ｓ６３では、制御回路６１は、Ｓ５３と同様に、切断された模様の中に、テスト模様があるか否かを判断する。制御回路６１は、全ての模様データ６００を判断した結果、模様データ６００の中で、テスト模様フラグαが１であると判断した模様データがある場合（Ｓ６３：ＹＥＳ）、Ｓ６５へ処理を進める。制御回路６１は、模様データ６００の中で、テスト模様フラグαが１であると判断した模様データがない場合（Ｓ６３：ＮＯ）、切断制御処理５００を終了する。
【００８０】
Ｓ６５では、制御回路６１は、Ｓ５３と同様の方法で、切断予定の模様の中に、通常模様があるか否かを判断する。具体的には、制御回路６１は、選択順データ６５０に格納された全ての模様番号に対応する模様データ６００を読み出す。制御回路６１は、模様データ６００のテスト模様フラグαが０か否かを判断する。制御回路６１は、全ての模様データ６００を判断した結果、模様データ６００の中で、テスト模様フラグαが０であると判断した模様データがある場合（Ｓ６５：ＹＥＳ）、Ｓ６７へ処理を進める。制御回路６１は、模様データ６００の中で、テスト模様フラグαが０であると判断した模様データがない場合（Ｓ６５：ＮＯ）、切断制御処理５００を終了する。
【００８１】
Ｓ６７では、制御回路６１は、図１６に示す一時停止画面３００をディスプレイ９ａに表示させる。一時停止画面３００には、切断装置１が一時停止中であること、切断を再開する場合、ユーザがスタートボタンを押す必要があること、切断を止める場合、ユーザが一時停止画面３００内の切断中止キー３０１を押す必要があることが、それぞれ表示される。具体的には、制御回路６１は、一時停止画面３００を表示するための制御信号をディスプレイ９ａに出力する。制御回路６１からの制御信号に従って、ディスプレイ９ａは、一時停止画面を表示する。さらに詳細には、制御回路６１は、ＲＯＭ６２から一時停止画面を示す画像情報を読み出し、ディスプレイ９ａに画像信号を送信する。
【００８２】
Ｓ６９では、制御回路６１は、Ｓ５９によりテスト模様を切断した後に、通常模様を切断するか否かを判断する。換言すると、制御回路６１は、Ｓ５９により切断刃６がテスト模様を切断した後に、切断を続行するか否かの選択を受け付ける。詳細には、制御回路６１は、スタートボタンが押されたか、切断中止キー３０１が押されたかを判断する。制御回路６１は、スタートボタンが押された事に応じて（Ｓ６９：ＹＥＳ）、Ｓ７１へ処理を進める。制御回路６１は、切断中止キー３０１が押された事に応じて（Ｓ６９：ＮＯ）、切断制御処理５００を終了する。
【００８３】
Ｓ７１では、制御回路６１は、Ｓ６９により切断を続行する選択を受け付けた事に応じて、切断刃６が通常模様を切断するように、移動部２０の駆動を制御する。具体的には、制御回路６１は、切断条件データ７５０として記憶された切断条件で、切断データ７００の座標データに従って、切断処理を実行する。制御回路６１は、切断データ７００を処理順ｊで順次読み出す。制御回路６１は、読み出された座標データに従って、被切断物１０１を保持した保持シート１０を、移送機構７によりＹ方向に移動させながら、移動機構８により切断刃６をＸ方向に移動させる。詳細には、制御回路６１は、座標データに従って、駆動回路６７、６８、６９に制御信号を出力する。制御回路６１からの制御信号を受け付けて、被切断物１０１を切断するために、駆動回路６７、６８、６９は、Ｙ軸モータ１５、Ｘ軸モータ２５、及びＺ軸モータ３４を駆動する。その後、切断データ７００内の次のデータへ処理を移すために、制御回路６１は、処理順ｊに１を加算して、Ｓ６１へ処理を進める。本実施例では、切断装置１は、通常模様２２０、２５０の順に、通常模様２２０、２５０の輪郭線に沿って被切断物１０１を切断する。
【００８４】
Ｓ７３では、制御回路６１は、切断データ７００のｊ番目のデータが切断停止データであるか否かを判断する。制御回路６１は、ｊ番目のデータが、切断停止データであると判断したことに応じて（Ｓ７３：ＹＥＳ）、Ｓ７５へ処理を進める。制御回路６１は、ｊ番目のデータが、切断停止データではないと判断したことに応じて（Ｓ６１：ＮＯ）、Ｓ７１へ処理を戻す。
【００８５】
Ｓ７５では、制御回路６１は、切断刃６と保持シート１０とを初期位置へ移動させる。具体的には、制御回路６１は、駆動ローラ１２が被切断物１０１の後端である保持シート１０の周縁部１０ｃの下に移動するよう制御する。また、制御回路６１は、キャリッジ１９が被切断物１０１の右端である保持シート１０の周縁部１０ａの上に移動するよう制御する。制御回路６１は、Ｓ７５終了後、切断制御処理５００を終了する。
【００８６】
［本実施形態の効果］
Ｓ６９では、制御回路６１は、Ｓ５９により切断刃６がテスト模様を切断した後に、切断を続行するか否かの選択を受け付ける。このとき、ユーザは、切断刃６がテスト模様を切断した被切断物１０１の切断品質を確認する。ユーザは切断品質が良いと判断した場合、切断を続行するために、スタートボタンを押す。他方、ユーザは切断品質が悪いと判断した場合、切断中止キー３０１を押すことによって、通常模様の切断を中止して、別の切断条件に変更することができる。その結果、切断品質が悪い状態のままで通常模様を切断することを回避でき、被切断物１０１の無駄な消費を少なくすることができる。
【００８７】
Ｓ６２では、制御回路６１は、駆動ローラ１２を、ピンチローラ１３の下に被切断物１０１の後端である保持シート１０の周縁部１０ｃが移動するよう制御する。また、制御回路６１は、キャリッジ１９が被切断物１０１の右端である保持シート１０の周縁部１０ａの上に移動するよう制御する。即ち、ピンチローラ１３及びキャリッジ１９が被切断物１０１の切断箇所の上に位置しないので、ユーザは、切断刃６がテスト模様を切断した被切断物１０１の切断品質を容易に確認することができる。
【００８８】
Ｓ６３では、制御回路６１は、切断刃６が通常模様より先にテスト模様を切断する旨が記載された画面をディスプレイ９ａに表示させる。これにより、ユーザは、通常模様より先にテスト模様を切断することを知ることができる。
【００８９】
テスト模様は通常模様より小さい。従って、テスト模様が通常模様と同じ大きさ出会った場合と比較して、切断品質を確認するための被切断物１０１の消費を少なくすることができる。また、テスト模様は、通常模様より小さいため、被切断物１０１上の空きスペースへ配置することが可能であり、被切断物１０１の消費を少なくすることができる。
【００９０】
［変形例］
本開示は上記実施形態になんら限定されるものではなく、本開示の要旨を逸脱しない範囲で種々の形態で実施することができる。
【００９１】
移動部２０は、移動機構８によって切断刃６をＸ方向に移動させ、移送機構７によって被切断物１０１を移送させることによって、被切断物１０１を所望の形状に切断する。しかしながら、移動部は、被切断物１０１は移送させずに、切断刃６をＸＹ方向の二方向に移動させる構成にすることによって、被切断物１０１を切断してもよい。
【００９２】
Ｓ６９では、制御回路６１は、Ｓ５９により切断刃６がテスト模様を切断した後に、切断を続行するか否かの選択を受け付ける。そして、ユーザが切断品質が良いと判断した場合、切断を続行するために、スタートボタンを押す。しかしながら、制御回路６１は、テスト模様を切断した後、一定時間経過後に、切断を続行するよう制御してもよい。一定時間とは、例えば、６０ｓである。ユーザは、一定時間の間に、テスト模様の切断品質を確認する。ユーザは、切断品質が良いと判断した場合、一定時間経過するまで待ち、切断が続行される。ユーザは、切断品質が悪いと判断した場合、一定時間内に切断中止キー３０１を押し、切断を中止し、切断条件を変更する。逆に、制御回路６１は、テスト模様を切断した後、一定時間経過後に、切断を終了するよう制御してもよい。ユーザは、切断品質が良いと判断した場合、スタートボタンを押し、切断が続行される。
【００９３】
Ｓ６２では、制御回路６１は、駆動ローラ１２を、ピンチローラ１３の下に被切断物１０１の後端である保持シート１０の周縁部１０ｃが移動するよう制御した。また、制御回路６１は、キャリッジ１９が被切断物１０１の右端である保持シート１０の周縁部１０ａの上に移動するよう制御した。しかしながら、制御回路６１は、駆動ローラ１２を、ピンチローラ１３の下に駆動ローラ１２が被切断物１０１の前端である保持シート１０の周縁部１０ｄが移動するよう制御し、キャリッジ１９が左端である保持シート１０の周縁部１０ｂの上に移動するよう制御してもよい。これに限らず、ユーザがテスト模様の切断品質を確認するために、ピンチローラ１３及びキャリッジ１９が邪魔にならない位置であればよい。
【００９４】
本実施例では、テスト模様は通常模様より小さい。しかしながら、テスト模様は、通常模様と同程度の大きさ又は通常模様以上の大きさであってもよい。
【００９５】
Ｓ９では、制御回路６１は、切断データ７００を登録する際に、切断順を変更する。しかしながら、制御回路６１は、選択順データ６５０の選択順をテスト模様を先に切断するように並び替えた後に、その並び替えた順番を切断順として切断データ７００を登録してもよい。
【００９６】
なお、上述した切断データ作成プログラム４００は、ハードディスク、フレキシブルディスク、ＣＤ−ＲＯＭ、又はＤＶＤなどのコンピュータで読み取り可能な記録媒体に記録され、ＰＣ等のコンピュータによって記録媒体から読み出されることによって実行されてもよい。また、切断データ作成プログラム４００は、インターネットなどのネットワークを介して配布することが可能な伝送媒体であってもよい。
【００９７】
〔本発明と実施例との対応関係〕
本実施形態における切断装置１は、本発明における切断装置の一例である。
本実施形態における切断データ作成プログラム４００は、本発明における切断データ作成プログラムの一例である。
本実施形態における模様データ６００は、本発明における複数の模様の一例である。
本実施形態におけるＳ１７、Ｓ２５、Ｓ２９、Ｓ３７を実行する制御回路６１は、本発明における取得手段の一例である。
本実施形態におけるＳ２１、及びＳ３３を実行する制御回路６１は、本発明における判断手段、及び判断ステップの一例である。
本実施形態におけるＳ２３、及びＳ３５を実行する制御回路６１は、本発明における変更手段、及び作成ステップの一例である。
本実施形態における切断制御処理５００を実行する制御回路６１は、本発明における制御手段の一例である。
本実施形態におけるＳ５９、Ｓ６１、及びＳ６２を実行する制御回路６１は、本発明における第１制御手段の一例である。
本実施形態におけるＳ６９を実行する制御回路６１は、本発明における第一受付手段の一例である。
本実施形態におけるＳ７１、Ｓ７３、及びＳ７５を実行する制御回路６１は、本発明における第２制御手段の一例である。
本実施形態におけるディスプレイ９ａは、本発明における表示部の一例である。
本実施形態におけるキャリッジ１９は、本発明におけるキャリッジの一例である。
本実施形態における駆動ローラ１２は、本発明におけるローラの一例である。
【符号の説明】
【００９８】
６              切断刃
１０１          被切断物
２０            移動部
６００          模様データ
２３０、２４０  テスト模様
２２０、２５０  通常模様
ｉ              選択順
ｊ              処理順
１              切断装置
１９            キャリッジ
１２            駆動ローラ
９ａ            ディスプレイ
４００          切断データ作成プログラム
【図１】
2016032847.tif 000003
【図３】
2016032847.tif 000004
【図６】
2016032847.tif 000005
【図１０】
2016032847.tif 000006
【図１１】
2016032847.tif 000007
【図１２】
2016032847.tif 000008
【図１３】
2016032847.tif 000009
【図２】
2016032847.tif 000010
【図４】
2016032847.tif 000011
【図５】
2016032847.tif 000012
【図７】
2016032847.tif 000013
【図８】
2016032847.tif 000014
【図９】
2016032847.tif 000015
【図１４】
2016032847.tif 000016
【図１５】
2016032847.tif 000017
【図１６】
2016032847.tif 000018